(57)【要約】【課題】  粘着力を調整可能な範囲が広く様々な用途に対応可能であり、剥離紙が不要な加圧粘着シートを提供する。【解決手段】  加圧粘着シート１が、多数の隙間２を有する多孔質基材３と、その一方の面上の感熱発色層４と、多数の隙間２内に保持されている粘着剤５とからなる。初期状態では、ほぼ固体状態の粘着剤５が隙間２内に滞留し、多孔質基材３の表面上に広がらない。使用時には、加圧粘着シート１を加熱して隙間２内の粘着剤５の粘度を低下させつつ、加圧して多孔質基材３を圧縮し、隙間２内の粘着剤５を多孔質基材３の他方の面上にしみ出させて広がらせ、粘着力を発現させる。感熱発色層４は、加熱されて発色し所望の表示を行うとともに、粘着剤５が感熱発色層４を透過してしみ出すのを阻止する。【選択図】図１
2006330157.tif 000002
【特許請求の範囲】
【請求項１】
多数の隙間を有する多孔質基材と、前記多数の隙間内に保持されている粘着剤とを有する加圧粘着シート。
【請求項２】
非加圧時には前記粘着剤は前記隙間内に滞留し、加圧時に前記粘着剤が前記多孔質基材の表面上にしみ出して粘着力を生じる、請求項１に記載の加圧粘着シート。
【請求項３】
非加圧時および非加熱時には前記粘着剤は前記隙間内に滞留し、加熱されかつ加圧された時に前記粘着剤が前記多孔質基材の表面上にしみ出して粘着力を生じる、請求項１に記載の加圧粘着シート。
【請求項４】
前記多孔質基材の一方の面に、感熱発色層である記録可能層が設けられている、請求項１〜３のいずれか１項に記載の加圧粘着シート。
【請求項５】
前記記録可能層が、前記一方の面上への前記粘着剤のしみ出しを阻止する、請求項４に記載の加圧粘着シート。
【請求項６】
前記多孔質基材の一方の面への前記粘着剤のしみ出しを阻止する阻止層を有する、請求項１〜４のいずれか１項に記載の加圧粘着シート。
【請求項７】
請求項１〜６のいずれか１項に記載の加圧粘着シートと、前記加圧粘着シートを加熱するサーマルヘッドと、前記加圧粘着シートを加圧する加圧部材とを含む、粘着シート製造システム。
【請求項８】
前記加圧部材は前記サーマルヘッドに設けられている、請求項７に記載の粘着シート製造システム。
【請求項９】
前記加圧粘着シートの一方の面には感熱発色層である記録可能層が設けられており、
前記サーマルヘッドは前記加圧粘着シートを加熱して前記粘着剤の粘度を低下させるとともに、前記記録可能層に記録を行う、請求項７または８に記載の粘着シート製造システム。
【請求項１０】
前記加圧粘着シートの一方の面には感熱発色層である記録可能層が設けられており、
前記加圧粘着シートを加熱して前記記録可能層に記録を行うもう１つのサーマルヘッドを有する、請求項７または８に記載の粘着シート製造システム。
【請求項１１】
多数の隙間を有する多孔質基材と、前記多数の隙間内に保持されている粘着剤とを有する加圧粘着シートを用い、
サーマルヘッドによって前記加圧粘着シートを加熱して前記粘着剤の粘度を低下させつつ、加圧部材によって前記加圧粘着シートを少なくとも部分的に加圧して、前記多数の隙間内に保持されている前記粘着剤を前記多孔質基材の表面にしみ出させることによって粘着性を発現させるステップを含む、粘着シートの製造方法。
【請求項１２】
前記加圧部材は前記サーマルヘッドに設けられている、請求項１１に記載の粘着シートの製造方法。
【請求項１３】
前記加圧粘着シートの一方の面に設けられている感熱発色層である前記記録可能層に、前記サーマルヘッドによって記録を行う、請求項１１または１２に記載の粘着シートの製造方法。
【請求項１４】
前記加圧粘着シートの一方の面に設けられている感熱発色層である前記記録可能層に、もう１つのサーマルヘッドによって記録を行う、請求項１１または１２に記載の粘着シートの製造方法。
【発明の詳細な説明】
【技術分野】
【０００１】
本発明は、加圧されて粘着性を発現する加圧粘着シートと、それを含む粘着シート製造システムと、粘着シートの製造方法に関する。
【背景技術】
【０００２】
従来、長尺の粘着シートを保管する際には、一般に、その粘着シートの粘着面と反対側の面を、粘着し難いようにコーティングしておき、ロール状に巻いて保持している（特許文献１参照）。しかし、例えば粘着シートの粘着面と反対側の面に文字や記号を記録して何らかの表示を行うラベルを作製したい場合に、粘着し難いコーティング部（例えばシリコーンコート層）には記録を行うことが困難である。このように、粘着シートの粘着面と反対側の面にコーティングを施すことが好ましくない場合には、粘着面に剥離紙を貼り付けておいて粘着シートをロール状に巻いて保持し、粘着シートを使用するときに剥離紙を剥がす構成が一般的である。しかし、剥離紙の分だけコスト高になるとともに、剥がした後の剥離紙が廃棄物となるため環境上の問題がある。
【０００３】
そこで、通常は粘着性を持たず、加熱されると粘着性が発現する感熱性粘着シートが開発されている。この感熱性粘着シートを使用する際には、特許文献２に示すように、サーマルヘッド等によって粘着シートを加熱することによって粘着性を発現させている。この構成では、長尺の粘着シートをロール状に巻いて容易に保管でき、剥離紙が不要で廃棄物が発生せず、しかも、粘着面と反対側の面を記録可能層（例えば感熱発色層）にすることができる。
【特許文献１】特開平５−３０９７７２号公報
【特許文献２】特開平１１−７９１５２号公報
【発明の開示】
【発明が解決しようとする課題】
【０００４】
特許文献２において用いられている感熱性粘着シートの場合、支持体である紙（上質紙）の一方の面に感熱性粘着剤層が設けられている。この粘着シートの粘着力は、感熱性粘着剤層を加熱する条件によって多少は上下するものの、粘着剤の量は感熱性粘着剤層の厚さによって決まっているため、粘着力を大幅に変更することはできない。
【０００５】
そこで本発明の目的は、粘着力を調整可能な範囲が広く様々な用途に対応可能であり、しかも剥離紙が不要な加圧粘着シートと、それを含む粘着シート製造システムと粘着シート製造方法を提供することにある。
【課題を解決するための手段】
【０００６】
本発明の加圧粘着シートは、多数の隙間を有する多孔質基材と、多数の隙間内に保持されている粘着剤とを有している。そして、非加圧時には粘着剤は隙間内に滞留し、加圧時に粘着剤が前記多孔質基材の表面上にしみ出して粘着力を生じる。または、非加圧時および非加熱時には粘着剤は隙間内に滞留し、加熱されかつ加圧された時に粘着剤が多孔質基材の表面上にしみ出して粘着力を生じる。
【０００７】
このような構成の加圧粘着シートは、通常時、すなわち非加圧時および／または非加熱時には粘着性がないため、剥離紙やコーティング層が不要で、容易にロール状に巻いて保持することができる。そして、必要に応じて加圧および／または加熱を行うことによって、粘着性を発現させることができる。しかも、用途に応じて、加圧量および／または加熱量を変えることによって、粘着剤がしみ出す量を変えて、加圧粘着シートの粘着力を調整することができる。
【０００８】
また、多孔質基材の一方の面に、感熱発色層である記録可能層が設けられていてもよい。さらに、記録可能層が、一方の面上への粘着剤のしみ出しを阻止してもよい。しかし、多孔質基材の一方の面への粘着剤のしみ出しを阻止する阻止層を有する構成であってもよい。
【０００９】
本発明の粘着シート製造システムは、前記したいずれかの構成の加圧粘着シートと、加圧粘着シートを加熱するサーマルヘッドと、加圧粘着シートを加圧する加圧部材とを含む。
【００１０】
加圧粘着シートの一方の面には感熱発色層である記録可能層が設けられており、サーマルヘッドは加圧粘着シートを加熱して粘着剤の粘度を低下させるとともに、記録可能層に記録を行ってもよい。または、加圧粘着シートを加熱して記録可能層に記録を行うもう１つのサーマルヘッドを有していてもよい。これらの構成によると、粘着性を発現させるための加熱と記録のための加熱とが、単一のサーマルヘッド、または２つの同種のサーマルヘッドを用いて行うことができるため、構成が簡単である。
【００１１】
そして、本発明の粘着シートの製造方法は、多数の隙間を有する多孔質基材と、多数の隙間内に保持されている粘着剤とを有する加圧粘着シートを用い、サーマルヘッドによって加圧粘着シートを加熱して粘着剤の粘度を低下させつつ、加圧部材によって加圧粘着シートを少なくとも部分的に加圧して、多数の隙間内に保持されている粘着剤を多孔質基材の表面にしみ出させることによって粘着性を発現させるステップを含む。
【００１２】
加圧部材はサーマルヘッドに設けられていてもよい。加圧粘着シートの一方の面に設けられている感熱発色層である記録可能層に、サーマルヘッドによって記録を行ってもよく、または、記録可能層に、もう１つのサーマルヘッドによって記録を行ってもよい。
【発明の効果】
【００１３】
本発明によると、剥離紙やコーティング層が不要であるため、低コストで、環境上の問題が生じず、しかも取り扱いが容易な粘着シートが得られる。必要に応じて粘着性を発現させることができ、さらに、粘着剤がしみ出す量を変えることによって、粘着シートの粘着力を従来よりも広い範囲で調整することができるため、様々な用途に応じた幅広い使用が可能である。
【発明を実施するための最良の形態】
【００１４】
以下、図面を参照して本発明の実施形態について説明する。
【００１５】
図１に本発明の第１の実施形態の加圧粘着シート１が示されている。まず、この加圧粘着シート１の基本構成について説明すると、多数の隙間２を有する多孔質基材３の一方の面に記録可能層である感熱発色層４が設けられ、隙間２内に粘着剤５が保持されている。そして、この加圧粘着シート１の初期状態（非使用時）には、図１（ａ）に示すように、粘着剤５は隙間２内に滞留し、多孔質基材３の他方の面上にはほとんど存在しないため、加圧粘着シート１は粘着力を持たない。隙間２内の粘着剤５はほぼ固体状態であり、隙間２内から多孔質基材３の表面上に流れ出すことはない。また、多孔質基材３の他方の面上に位置する隙間２においては、その隙間２内の粘着剤５が僅かに外部に露出するが、この粘着剤５はほぼ固体状態であるため、加圧粘着シート１の粘着力は生じない。
【００１６】
この加圧粘着シート１の使用時には、例えば、後述するサーマルヘッド１０によって加圧粘着シート１を加熱して隙間２内の粘着剤５の粘度を低下させるとともに、図１（ｂ）に示すように、後述するプラテンローラ９および凸部１０ａによってこの加圧粘着シート１を加圧して多孔質基材３を圧縮する。それによって、加圧粘着シート１の、特に圧縮された部分の隙間２が縮小され、隙間２内の粘着剤５が多孔質基材３の他方の面上にしみ出す。すなわち、加熱されることによって流動性を得た粘着剤５は、多孔質基材３が圧縮されることによって縮小した隙間２内から外部に押し出されるため、多孔質基材３の他方の面上に広がる。こうして、多孔質基材３の他方の面が粘着面となり、加圧粘着シート１が接着可能な状態になる。なお、加圧粘着シート１が加圧されて多孔質基材３が圧縮された際に、感熱発色層４が、粘着剤５が加圧粘着シート１の一方の面上（感熱発色層４上）にしみ出すのを阻止する。
【００１７】
このような加圧粘着シート１の加熱および加圧と同時に、または異なるタイミングで、例えばサーマルヘッド１０によって感熱発色層４を任意のパターンで加熱して、所望の記録を行うことができる。こうして、所望の表示を有する粘着シート（粘着ラベル）が製造できる。前記した通り感熱発色層４が粘着剤５のしみ出しを阻止するため、所望の記録が施されている面は粘着性をもたない。
【００１８】
この加圧粘着シート１において粘着力を低く抑えたい場合には、加圧粘着シート１の加熱量を小さくして、粘着剤５の粘度をあまり低下させず流動性を低くして、多孔質基材３が圧縮されても粘着剤５が多孔質基材３の他方の面上にしみ出しにくくすることと、加圧粘着シート１の加圧量を小さくして、多孔質基材３があまり圧縮されないようにして、粘着剤５が隙間２内から押し出される量を少なくすることが考えられる。逆に、この加圧粘着シート１において粘着力を強くしたい場合には、加圧粘着シート１の加熱量を大きくして、粘着剤５の粘度を低くして流動性を高め、多孔質基材３の圧縮時に粘着剤５が多孔質基材３の他方の面上に大量にしみ出し易くすることと、加圧粘着シート１の加圧量を大きくして、多孔質基材３が強く圧縮されるようにして、粘着剤５が隙間２内から押し出される量を多くすることが考えられる。
【００１９】
このように、本発明の加圧粘着シート１は、多孔質基材３の多数の隙間２内に粘着剤５を充填しておき、その粘着剤５が表面にしみ出す量を変えることによって、粘着力を調整することができる。多数の隙間２内に充填されている粘着剤５の総量は多量であるが、しみ出し量を少なくして粘着力を小さく抑える場合から、粘着剤５をほとんど全てしみ出させて大きな粘着力を得る場合まで、粘着力の変動の幅が比較的大きい。少なくとも、特許文献１，２に記載されている粘着シートのように、粘着層の厚さによって粘着剤の量が規定され、その粘着層の温度特性のみを利用して粘着力の調整を行う構成に比べると、粘着力の調整可能な範囲が大きく、幅広い用途に使用可能である。
【００２０】
また、本実施形態の加圧粘着シート１は、加圧と加熱の２つの要因を適宜に調整することによって、粘着力を任意に設定することができる。粘着力を調整するために加圧と加熱の２つの要因が存在するため、加圧粘着シート１を含む粘着シート製造システムの制約によって、加圧量に制限がある場合や加熱量に制限があったとしても、加圧量と加熱量の両方を調整することによって、所望の粘着力を得られる可能性が高い。具体的には、加圧粘着シート１に強い粘着力を発現させたいが、あまり高温に加熱すると感熱発色層４の意図しない発色などの不具合を生じ易い場合には、加圧粘着シート１の加熱量はあまり大きくしない代わりに加圧量を大きくすることによって、強い粘着力を得ることができる。また、加圧粘着シート１に強い粘着力を発現させたいが、あまり強く加圧すると多孔質基材３が損傷し易い場合には、加圧粘着シート１の加圧量はあまり大きくしない代わりに加熱量を大きくすることによって、強い粘着力を得ることができる。このように、粘着力を制御する要因が２つ存在することによって、粘着力を調整する自由度が大きくなる。
【００２１】
さらに、この加圧粘着シート１によると、剥離紙やコーティング層が不要であるため、低コストで、環境上の問題が生じず、しかも取り扱いが容易である。また、感熱性粘着剤を用いる必要はなく、様々な粘着剤が使用可能であるため、低コスト化に寄与する。
【００２２】
次に、この加圧粘着シート１の具体例について説明する。多孔質基材３としては、例えば、隙間２の孔径が０．１μｍ〜１０μｍで空隙率が３０〜７０vol％であり膜厚が５μｍ〜２０μｍの、ポリウレタン系樹脂、ポリアミド系樹脂、酢酸セルロース樹脂等の樹脂材料からなるものや、それらと同等の特性を有する不織布からなるものが用いられる。もちろん、膜厚が薄い場合には、それに応じて隙間２の孔径を小さく設定することが好ましい。多孔質基材３として不織布を用いる場合には、低コスト化できるという利点がある。
【００２３】
粘着剤５としては、広く一般に用いられるアクリル系接着剤やゴム系接着剤等が用いられ、使用される粘着シート製造システムの加熱および加圧の条件に適した粘度変化を示すものを選択することが好ましい。ここで、図２に、電子部品の接着等に使用される代表的なエポキシ系接着剤の温度と粘度の関係を示している。
【００２４】
感熱発色層４は、特許文献２において用いられているものなど、従来から公知の材料を多孔質基材３に塗布することによって形成される。
【００２５】
この加圧粘着シート１の粘着剤５の温度と流動性の関係を図３に示している。加圧粘着シート１が低温に保たれている場合には、図２に示すように粘着剤５の粘度がかなり高く、隙間２内でほぼ固体状態になっているため、図３に示すように流動性が非常に低く、加圧されたとしても隙間２内から移動できない。従って、加圧粘着シート１の表面には粘着剤５がほとんど存在せず、粘着力はほとんどない。しかし、温度ｔ1（約８０℃）に到達すると、粘着剤５の粘度が低くなって流動性を生じるため、加圧されると粘着剤５が加圧粘着シート１の表面にしみ出して広がり、この加圧粘着シート１の粘着力が発現する。
【００２６】
さらに加熱量を大きくして加圧粘着シート１の温度をより高くすると、粘着剤５の粘度がさらに低下し流動性がさらに高くなって多孔質基材３の表面にしみ出し易くなり、一定の加圧力で加圧されたときの加圧粘着シート１の粘着力が強くなっていく。そして、温度ｔ2（約１２０℃）に到達すると、一定の加圧力で加圧された時にかなり大量の粘着剤５が加圧粘着シート１の表面にしみ出すようになり、被接着物（貼り付け対象物）の表面状態に関わらず、実用上十分に強い粘着力が得られるようになる。
【００２７】
なお、温度ｔ3（約１５０℃）に到達すると、本実施形態の感熱発色層４が発色する。従って、加圧粘着シート１を温度ｔ3以上に加熱すると、加圧されたときに十分強い粘着力が得られるとともに、加圧粘着シート１の一方の面が発色する。すなわち、任意のパターンで加熱することによって、所望の記録が可能であり、それと同時に、記録パターンに沿って強固な粘着力を発現させることができる。ここで言う所望の記録とは、文字や記号や図形等に限られず、模様や全面着色なども含む。
【００２８】
加熱温度が高過ぎると、粘着剤５の粘度が低くなり加圧されると加圧粘着シート１の表面にしみ出し易くなるものの、粘着剤５の粘度が低過ぎて被接着物に対する粘着力が低くなる可能性がある。この時の加熱温度を、図示しないがｔ4とすると、ｔ4ができるだけ高く（例えば２００℃以上）、ｔ2とｔ4の差が大きくなるような温度−粘度特性を有する粘着剤５を用いることが好ましい。特に、粘着性の発現と記録とを同時に行う場合には、ｔ3＜ｔ4でなければならず、ｔ3とｔ4の差が大きい方が粘着および記録の信頼性が高い。
【００２９】
ここで、本実施形態において用いた粘着剤の例について説明する。図２に示すように、分子量が小さい接着剤の場合には、僅かな温度変化によって液体−固体の相変化を生じ、溶解後の粘度も低い。これに対し、分子量が大きい接着剤の場合には、融解後に粘度が急激に低下せず、強度が高い。本実施形態では、分子量が小さい接着剤と分子量が大きい接着剤の中間の特性を有する接着剤が用いられている。ただし、本発明の粘着剤は、この例に限定されるわけではない。
【００３０】
この加圧粘着シート１は様々な用途に用いることができ、例えば、接着後に剥がすことを前提とした仮止めテープや付箋紙等を製造する場合には、加熱温度をｔ1からｔ2までの範囲内に設定する。これに対し、容易には剥がれない強固な接着シートを製造する場合には、加熱温度をｔ2以上に設定する。さらに、粘着力の発現と同時に表面に記録を行う場合には、加熱温度をｔ3以上に設定する。ただし、加熱温度はｔ4未満に設定しなければならない。
【００３１】
次に、本発明における粘着シート製造システムの一例について説明する。この粘着シート製造システムは、前記した加圧粘着シート１と、図４に示すプリンタ６を含むものである。図４に示すプリンタ６の構成について説明すると、詳述しないが、前記した加圧粘着シート１を巻いたロール体を保持するロール体保持部７と、加圧粘着シート１に対して加熱および加圧を施す処理部８とからなる。処理部８には、ロール体から繰り出された加圧粘着シート１を支持しつつ搬送するプラテンローラ９と、プラテンローラ９と対向するサーマルヘッド１０が設けられている。加圧粘着シート１はプラテンローラ９とサーマルヘッド１０の間を通過する。サーマルヘッド１０は、そのほぼ全幅に亘って延びる凸部１０ａを有している。この凸部１０ａは、独立して作動可能な多数の加熱部（図示せず）が並んだ部分であるとともに、プラテンローラ９との間で加圧粘着シート１を強く押圧する加圧部材でもある。
【００３２】
この粘着シート製造システムによる粘着シート製造方法について説明する。まず、ロール体保持部７に保持されているロール体から加圧粘着シート１を繰り出して、プラテンローラ９とサーマルヘッド１０の間に挿通させる。プラテンローラ９が回転することによって加圧粘着シート１を搬送しながら、サーマルヘッド１０の凸部１０ａの各加熱部のうち適宜に選択されたものに対して適宜のタイミングで駆動信号を供給して発熱させる。これによって、加圧粘着シート１を部分的に例えば１５０℃以上に加熱して、感熱発色層４を発色させて任意の記録（例えば文字や記号の形成）を行う。この時、ほぼ全幅に亘って延びる凸部１０ａとプラテンローラ９の間で、加圧粘着シート１は強く押圧される。
【００３３】
加圧粘着シート１は、前記した通り所望の記録が形成されるとともに、加熱部によって加熱された部分の隙間２内の粘着剤５の温度が上昇してその粘度が低下する（図２参照）。そして、凸部１０ａとプラテンローラ９に挟まれて加圧され、多孔質基材３が圧縮させられるため、粘度が低下した粘着剤５が加圧粘着シート１の表面上にしみ出して広がった状態となる。その状態で、加圧粘着シート１はプリンタ６の外部に排出される。このようにして排出された加圧粘着シート１は、一方の面に所望の記録が施され、他方の面上には粘着剤５がしみ出して広がることにより粘着力を有している。この加圧粘着シート１が、図示しないカッターユニット等によって所定の長さに切断されると、様々な物体に貼り付け可能な粘着シートが得られる。
【００３４】
ただし、加熱部が作動せず、加熱されていない部分の隙間２内に位置する粘着剤５は、あまり温度が上昇せず粘度が低下しないため、多孔質基材３が圧縮させられても隙間２内から押し出されずに滞留し、その部分には粘着力が発現しない可能性がある。その場合でも、加熱量と加圧量とを適宜に調整することによって、所望の範囲に亘って所望の粘着力が得られるように制御することができる。
【００３５】
なお、この製造システムおよび製造方法によって粘着シートを製造した場合、直ちに被接着物（貼り付け対象物）に貼り付けることが好ましい。このようにして製造した粘着シートを常温で放置すると、温度低下に伴って粘着剤５の粘度が上昇してほぼ固体の状態になり、粘着力が失われる。ただし、粘着剤５の温度変化に伴う粘度の変化は可逆的なものであり、また、一旦しみ出して広がった粘着剤５が隙間２内に戻ってしまう可能性は低く多孔質基材３の表面上に残留しているため、再加熱すれば再び粘着性が発現する。再加熱する場合には、粘着シート自体を加熱してもよいが、被接着物を加熱して間接的に粘着剤５の温度を上昇させてもよい。
【００３６】
図５には、本発明の粘着シート製造システムの変形例を示している。図４に示す製造システムと同様な構成については同一の符号を付与し説明を省略する。
【００３７】
図５に示す粘着シート製造システムのプリンタ１１では、もう１つのサーマルヘッド１２およびプラテンローラ１３が設けられている。上流側のサーマルヘッド１０では、加圧粘着シート１の感熱発色層４に記録を行うのみで、あまり強く加圧せず粘着力を発現させない。そして、下流側に位置するサーマルヘッド１２の凸部１２ａによって、再度加熱するとともに十分に加圧して多孔質基材３を圧縮させることによって粘着力を発現させることができる。この構成では、記録と粘着力付与とを異なるタイミングで行うことができ、加圧粘着シート１に予め記録を行っておいて、実際の貼り付けを行う直前にその都度必要な範囲だけ粘着力を発現させることができる。また、この構成によると、記録パターンと粘着パターンとを異ならせることができる。そして、この構成では、サーマルヘッド１０による記録時には、余分な力を加えることなく記録のために最適な圧力で加圧粘着シート１を処理することができ、また、記録と無関係にもう１つのサーマルヘッド１２の凸部１２ａの加圧力を自由に調整でき、粘着力の制御が容易にできる。
【００３８】
図６には、本発明の粘着シート製造システムの他の変形例を示している。図４に示す製造システムと同様な構成については同一の符号を付与し説明を省略する。
【００３９】
この粘着シート製造システムのプリンタ１３では、サーマルヘッド１０およびプラテンローラ９の下流側に、独立した加圧部材１４が設けられている。サーマルヘッド１０では、加圧粘着シート１の感熱発色層４に記録を行うのみで、あまり強く加圧せず粘着力を発現させず、その後に加圧部材１４によって十分に加圧して多孔質基材３を圧縮させる。この時、加圧粘着シート１はサーマルヘッド１０の加熱により既に高温になっており、粘着剤５の粘度が低下した状態で加圧部材１４まで搬送される。そこでこの加圧粘着シート１を加圧部材１４により加圧することによって、粘着力を発現させることができる。この構成でも、サーマルヘッド１０による記録時には、余分な力を加えることなく記録のために最適な圧力で加圧粘着シート１を処理することができ、記録と無関係に加圧部材１４の加圧力を自由に調整でき、粘着力の制御が容易にできる。
【００４０】
次に、本発明の加圧粘着シートの他の実施形態について説明する。図７に示す加圧粘着シート１５は、多孔質基材３と感熱発色層４の間に、加熱および加圧時に粘着剤５が感熱発色層４側（粘着面の反対側）にしみ出さないようにする阻止層１６が設けられている。この阻止層１６は、記録とは無関係に流体の浸透を阻止する性質のみを考慮した材料によって形成することができる。また、図示しないが、この構成において感熱発色層４をなくすこともできる。そのような構成は、加圧粘着シートに記録を行わない場合、またはサーマルヘッドを用いない別の記録方式で記録を行う場合に採用可能である。
【００４１】
図８に示す加圧粘着シート１７は、多孔質基材３のみで構成されており、感熱発色層４や阻止層１６は存在しない。この加圧粘着シート１７は、いわゆる両面テープとして使用可能であり、例えば図４に示す粘着シート製造システムを用いて加熱および加圧することによって、粘着剤５を隙間２内から多孔質基材３の両面にしみ出させて広がらせ、両面に粘着性を発現させた粘着シートを得ることができる。
【００４２】
以上説明したように、本発明によると、剥離紙が不要で環境上の問題が生じず、しかも低コストの粘着シートが容易に得られる。
【図面の簡単な説明】
【００４３】
【図１】（ａ）は本発明の第１の実施形態の加圧粘着シートの構成を示す拡大断面図、（ｂ）はその粘着性を発現させた状態を示す拡大断面図である。
【図２】図１に示す加圧粘着シートの粘着剤の温度と粘度の関係を示すグラフである。
【図３】図１に示す加圧粘着シートの粘着剤の温度と流動性の関係を示すグラフである。
【図４】本発明の粘着シート製造システムを示す概略図である。
【図５】本発明の粘着シート製造システムの変形例を示す概略図である。
【図６】本発明の粘着シート製造システムの他の変形例を示す概略図である。
【図７】本発明の第２の実施形態の加圧粘着シートの構成を示す拡大断面図である。
【図８】本発明の第３の実施形態の加圧粘着シートの構成を示す拡大断面図である。
【符号の説明】
【００４４】
１，１５，１７      加圧粘着シート
２      隙間
３      多孔質基材
４      感熱発色層（記録可能層）
５      粘着剤
６，１１，１３      プリンタ
７      ロール体保持部
８      処理部
９      プラテンローラ
１０    サーマルヘッド
１０ａ  凸部（加圧部材）
１２    もう１つのサーマルヘッド
１４    加圧部材
１６    阻止層
【図１】
2006330157.tif 000003
【図２】
2006330157.tif 000004
【図３】
2006330157.tif 000005
【図４】
2006330157.tif 000006
【図５】
2006330157.tif 000007
【図６】
2006330157.tif 000008
【図７】
2006330157.tif 000009
【図８】
2006330157.tif 000010